(57)【要約】      （修正有）【課題】桟部材に相当する突出段部をプレス加工するための複雑な金型が不要となり、生産コストの低減を図ることができると共に前後一対の複数組の桟部材を上下複数段に容易に形成することができ、前後一対の複数組の桟部材の配置位置も容易に定めることができる流し台用シンクを提供する。【解決手段】開口容器状のシンク部及び周縁部からなる流し台用シンクＤであって、シンク部の前後の対向内面に一対の複数組の桟部材１及び２が上下複数段に水平方向にレーザ溶接加工により溶接固定されている。桟部材に調理プレートＦ５、水切りかごＦ２、水切りプレートＦ３、まな板Ｆ４等の付属部材の前後の端部の各下面が載置可能である。【選択図】図４
0003201994.tif 000002
【実用新案登録請求の範囲】
【請求項１】
開口容器状のシンク部及び周縁部からなる流し台用シンクであって、上記シンク部の前後の対向内面に調理プレートや水切りかご等の付属部材の前後の端部の各下面を載置可能な前後一対の複数組の桟部材が上下複数段に水平方向に溶接固定されてなることを特徴とする流し台用シンク。
【請求項２】
上記前後一対の二組の桟部材が上下二段に溶接固定されてなることを特徴とする請求項１記載の流し台用シンク。
【請求項３】
上記桟部材の下角縁部に面取部が形成されてなることを特徴とする請求項１又は２記載の流し台用シンク。
【請求項４】
流し台のキャビネットの上部に天板が配置され、該天板の開口に上記請求項１〜３のいずれか１項に記載の流し台用シンクのシンク部が配置され、天板の開口の周縁部と該キャビネットの上部との間に流し台用シンクの周縁部が介装され、該天板の開口内面と該流し台用シンクの周縁部上面とにより上記付属部材の端部を載置可能な開口段部を形成してなることを特徴とする流し台用シンク装置。
【請求項５】
上記天板は人工大理石からなることを特徴とする請求項４記載の流し台用シンク装置。
【考案の詳細な説明】
【技術分野】
【０００１】
本考案は、例えば一般家庭の台所などで用いられる流し台用シンク及びその装置に関するものである。
【背景技術】
【０００２】
近年、この種の流し台用シンクにおいて、シンクの小型化、調理スペースの確保、調理作業の多様化及び調理作業の融通性を考慮し、シンクの前後の対向内面に調理プレート、まな板、水切りプレート、水切りかご等の付属部材の前後端部の各下面を載置可能な前後一対の突出段部が上下二段に水平方向にプレス加工により形成されてなる構造のものが知られている。
【先行技術文献】
【特許文献】
【０００３】
【特許文献１】特開２００６−２９６５３５
【特許文献２】特許第３１６９８７０号
【考案の概要】
【考案が解決しようとする課題】
【０００４】
しかしながら上記従来の流し台用シンクにおいては、突出段部をプレス加工により形成しているため複雑な構造の金型が必要であったり、複数の突出段部を形成することが困難となることがあり、又、生産コストが増大することがあるという不都合を有している。
【課題を解決するための手段】
【０００５】
本考案はこれらの不都合を解決することを目的とするもので、本考案のうちで、請求項１記載の考案は、開口容器状のシンク部及び周縁部からなる流し台用シンクであって、上記シンク部の前後の対向内面に調理プレートや水切りかご等の付属部材の前後の端部の各下面を載置可能な前後一対の複数組の桟部材が上下複数段に水平方向に溶接固定されてなることを特徴とする流し台用シンクにある。
【０００６】
又、請求項２記載の考案は、上記前後一対の二組の桟部材が上下二段に溶接固定されてなることを特徴とするものであり、又、請求項３記載の考案は、上記桟部材の下角縁部に面取部が形成されてなることを特徴とするものである。
【０００７】
又、請求項４記載の考案は、流し台のキャビネットの上部に天板が配置され、該天板の開口に上記請求項１〜３のいずれか１項に記載の流し台用シンクのシンク部が配置され、天板の開口の周縁部と該キャビネットの上部との間に流し台用シンクの周縁部が介装され、該天板の開口内面と該流し台用シンクの周縁部上面とにより上記付属部材の端部を載置可能な開口段部を形成してなることを特徴とするものである。
【０００８】
又、請求項５記載の考案は、上記天板は人工大理石からなることを特徴とするものである。
【考案の効果】
【０００９】
本考案は上述の如く、請求項１記載の考案にあっては、流し台用シンクは開口容器状のシンク部及び周縁部からなり、このシンク部の前後の対向内面に調理プレート、水切りかご、水切りプレート、まな板等の付属部材の前後の端部の各下面を載置可能な前後一対の複数組の桟部材が上下複数段に水平方向に溶接固定され、これら桟部材間に付属部材を掛架することになり、例えば、まな板や調理プレートを桟部材間に掛架することによりシンク部の上部をまな板調理台や調理台としたり、又、水切りかごを桟部材間に掛架して水切りかご内に食器類を収納することにより食器類の水切りをシンク部内で行ったり、又、水切りプレートを桟部材間に掛架することにより食器類や野菜等の食品の水切りをシンク部内で行ったり、又、調理プレートやまな板を桟部材間に掛架することにより、例えば、食品の切断作業や魚の鱗取作業をシンク部内で行うことになり、シンク部の外方への食品や鱗の飛散を防ぐことになり、シンク部内の有効利用が可能となり、あるいは、調理プレート上にまな板を積み重ね配置することによりまな板の曲げ強度を高めることができ、前後一対の複数組の桟部材が上下複数段に水平方向に溶接固定されていることにより付属部材を複数組の桟部材のそれぞれに掛架することができ、付属部材の調理仕様やシンク部の深さに応じて付属部材を上下複数段に掛架することができ、シンク部深さに対する付属部材の配置位置の融通性を高めることになり、シンク部の仕様の融通性を高めたり、シンクの小型化、調理スペースの確保を図ることになり、この際、更に加えて、上記前後一対の複数組の桟部材はシンク部の前後の対向内面に溶接固定されているから、桟部材に相当する突出段部をプレス加工するための複雑な金型が不要となり、生産コストの低減を図ることができると共に前後一対の複数組の桟部材を上下複数段に容易に形成することができ、前後一対の複数組の桟部材の配置位置も容易に定めることができ、これにより調理作業の多様化及び調理作業の融通性の確保を図ることができる。
【００１０】
又、請求項２記載の考案にあっては、上記前後一対の二組の桟部材が上下二段に溶接固定されているから、一般家庭の台所用のシンク部の深さに最適な上下の段数となり、各種調理作業の作業性や使い勝手を向上することができ、又、請求項３記載の考案にあっては、上記桟部材の下角縁部に面取部が形成されているから、桟部材に対する調理プレート、水切りかご、水切りプレート、まな板等の付属部材の着脱及び掛替えに際して指の怪我を防いで安全性を高めることもでき、調理作業の多様化及び調理作業の融通性の確保を図ることができる。
【００１１】
又、請求項４記載の考案にあっては、この場合、流し台のキャビネットの上部に天板が配置され、天板の開口に上記流し台用シンクのシンク部が配置され、天板の開口の周縁部とキャビネットの上部との間に流し台用シンクの周縁部が介装され、天板の開口内面と流し台用シンクの周縁部上面とにより上記付属部材の端部を載置可能な開口段部を形成してなるから、上記前後一対の複数組の桟部材に各種の付属部材を掛架することに加えて、開口段部に調理プレート等の付属部材を掛架することができ、更なる調理作業の多様化及び調理作業の融通性の確保を図ることができる。
【００１２】
又、請求項５記載の考案にあっては、上記天板は人工大理石からなるので、人工大理石の固有の高級感、清潔感、装飾感、冷感等を得ることができ、流し台の仕様に対する融通性を高めることができる。
【図面の簡単な説明】
【００１３】
【図１】本考案の実施の形態例の全体斜視図である。
【図２】本考案の実施の形態例の部分拡大断面図である。
【図３】本考案の実施の形態例の説明分離斜視図である。
【図４】本考案の実施の形態例の使用状態の説明斜視図である。
【図５】本考案の実施の形態例の使用状態の側断面図である。
【図６】本考案の実施の形態例の使用状態の平面図である。
【図７】本考案の実施の形態例の使用状態の側断面図である。
【考案を実施するための形態】
【００１４】
図１乃至図７は本考案の実施の形態例を示し、Ｄは流し台用シンクであって、開口容器状のシンク部Ｄ１及び周縁部Ｄ２からなり、シンク部Ｄ１の底面に排水口Ｄ３が形成され、排水口Ｄ３には排水トラップＨが接続され、ステンレス材のプレス加工により成形され、各種の流し台Ｎの上部に配置されている。
【００１５】
１・１及び２・２は桟部材であって、図１の如く、ステンレス製の角棒状に形成され、図２の如く、下角縁部には面取部１ａ・１ａ及び２ａ・２ａが形成され、前後一対の複数組、この場合、前後一対の二組からなり、上記シンク部Ｄ１の前後の対向内面に前後一対の二組の桟部材１・１及び２・２が上下複数段、この場合、上下二段に水平方向に例えばレーザー溶接加工により溶接固定され、これら桟部材１・１及び２・２は、各種の付属部材Ｆ、例えば、調理プレートＦ１、水切りかごＦ２、水切りプレートＦ３、まな板Ｆ４等の前後の端部ＦＴの各下面を載置可能に形成され、各種の付属部材Ｆを桟部材１・１及び２・２に掛架するように構成されている。
【００１６】
又、上記流し台用シンクＤは、図３、図４、図５、図６の如く、各種の流し台ＮのキャビネットＫの上部に配置され、キャビネットＫの上部には天板Ｔが配置され、天板Ｔに水栓Ｅが設けられ、天板Ｔの開口Ｔ１に流し台用シンクＤのシンク部Ｄ１が配置され、天板Ｔの開口Ｔ１の周縁部Ｔ２とキャビネットＫの上部との間に流し台用シンクＤの周縁部Ｄ２が介装され、天板Ｔの開口内面Ｔ３と流し台用シンクＤの周縁部Ｄ２上面とにより上記付属部材Ｆの端部ＦＴを載置可能な開口段部３を形成し、この場合、前後の開口段部３に上記調理プレートＦ１よりも奥行寸法が長く、掛架時において、天板Ｔの上面と面一となる厚さの調理プレートＦ１と異なる調理プレートＦ５を掛架するように構成している。
【００１７】
又、上記天板Ｔの材質として人工大理石やステンレス材が用いられ、この場合、人工大理石により製作されている。
【００１８】
又、この場合、図１、図７の如く、上記シンク部Ｄ１の左右の対向内面に取付穴Ｄ４が形成され、取付穴Ｄ４にフックボルト４・４が取り付けられ、洗剤やスポンジ等の小物を収納する図示省略のラックを取付可能に構成している。
【００１９】
この実施の形態例は上記構成であるから、図１、図２、図３の如く、流し台用シンクＤは開口容器状のシンク部Ｄ１及び周縁部Ｄ２からなり、このシンク部Ｄ１の前後の対向内面に調理プレートＦ１、水切りかごＦ２、水切りプレートＦ３、まな板Ｆ４等の付属部材Ｆの端部ＦＴの各下面を載置可能な前後一対の複数組の桟部材１・１及び２・２が上下複数段に水平方向に溶接固定され、この場合、前後一対の二組の桟部材１・１及び２・２が上下二段に水平方向に溶接固定され、これら桟部材１・１及び２・２間に付属部材Ｆを掛架することになり、例えば、図３、図４、図５、図６の如く、まな板Ｆ４を桟部材１・１又は２・２間に掛架することによりシンク部Ｄ１の上部をまな板調理台としたり、又、水切りかごＦ２を桟部材１・１又は２・２間に掛架して水切りかごＦ２内に食器類を収納することにより食器類の水切りをシンク部Ｄ１内で行ったり、又、水切りプレートＦ３を桟部材１・１又は２・２間に掛架することにより食器類や野菜等の食品の水切りをシンク部Ｄ１内で行ったり、又、調理プレートＦ１やまな板Ｆ４を桟部材１・１又は２・２間に掛架することにより、例えば、食品の切断作業や魚の鱗取作業をシンク部Ｄ１内で行うことになり、シンク部Ｄ１の外方への食品や鱗の飛散を防ぐことになり、シンク部Ｄ１内の有効利用が可能となり、あるいは、図７の如く、調理プレートＦ１上にまな板Ｆ４を積み重ね配置することによりまな板Ｆ４の曲げ強度を高めることができ、前後一対の複数組の桟部材１・１及び２・２が上下複数段に水平方向に溶接固定されていることにより付属部材Ｆを複数組の桟部材１・１及び２・２のそれぞれに掛架することができ、付属部材Ｆの調理仕様やシンク部Ｄ１の深さに応じて付属部材Ｆを上下複数段に掛架することができ、シンク部Ｄ１深さに対する付属部材Ｆの配置位置の融通性を高めることになり、シンク部Ｄ１の仕様の融通性を高めたり、シンクの小型化、調理スペースの確保を図ることになる。
【００２０】
更に加えて、上記前後一対の複数組の桟部材１・１及び２・２はシンク部Ｄ１の前後の対向内面にレーザー溶接加工により溶接固定されているから、桟部材１・１及び２・２に相当する突出段部をプレス加工するための複雑な金型が不要となり、生産コストの低減を図ることができると共に前後一対の複数組の桟部材１・１及び２・２を上下複数段に容易に形成することができ、前後一対の複数組の桟部材１・１及び２・２の配置位置も容易に定めることができ、これにより調理作業の多様化及び調理作業の融通性の確保を図ることができる。
【００２１】
この場合、上記前後一対の二組の桟部材１・１及び２・２が上下二段に溶接固定されているから、一般家庭の台所用のシンク部Ｄ１の深さに最適な上下の段数となり、各種調理作業の作業性や使い勝手を向上することができ、又、この場合、上記桟部材１・１及び２・２の下角縁部に面取部１ａ・１ａ及び２ａ・２ａが形成されているから、桟部材１・１又は２・２に対する調理プレートＦ１、水切りかごＦ２、水切りプレートＦ３、まな板Ｆ４等の付属部材Ｆの着脱及び掛替えに際して指の怪我を防いで安全性を高めることもでき、調理作業の多様化及び調理作業の融通性の確保を図ることができる。
【００２２】
又、この場合、流し台ＮのキャビネットＫの上部に天板Ｔが配置され、天板Ｔの開口Ｔ１に上記流し台用シンクＤのシンク部Ｄ１が配置され、天板Ｔの開口Ｔ１の周縁部Ｔ２とキャビネットＫの上部との間に流し台用シンクＤの周縁部Ｄ２が介装され、天板Ｔの開口内面Ｔ３と流し台用シンクＤの周縁部Ｄ２上面とにより上記付属部材Ｆの端部ＦＴを載置可能な開口段部３を形成してなるから、上記前後一対の複数組の桟部材１・１及び２・２に各種の付属部材Ｆを掛架することに加えて、開口段部３に調理プレートＦ５等の奥行寸法が調理プレートＦ１と異なる付属部材Ｆを掛架することができ、更なる調理作業の多様化及び調理作業の融通性の確保を図ることができる。
【００２３】
又、この場合、上記天板Ｔは人工大理石からなるので、人工大理石の固有の高級感、清潔感、装飾感、冷感等を得ることができ、流し台Ｎの仕様に対する融通性を高めることができる。
【００２４】
尚、本考案は上記実施の形態例に限られるものではなく、シンク部Ｄ１、周縁部Ｄ２、付属部材Ｆ、天板Ｔ、キャビネットＫの構造や形態等は適宜変更して設計される。
【００２５】
以上の如く、所期の目的を充分達成することができる。
【符号の説明】
【００２６】
Ｄ    流し台用シンク
Ｄ１    シンク部
Ｄ２    周縁部
Ｎ    流し台
Ｆ    付属部材
Ｆ１    調理プレート
Ｆ２    水切りかご
ＦＴ    端部
Ｋ    キャビネット
Ｔ    天板
Ｔ１    開口
Ｔ２    周縁部
Ｔ３    開口内面
１    桟部材
１ａ    面取部
２    桟部材
２ａ    面取部
３    開口段部
【図１】
0003201994.tif 000003
【図２】
0003201994.tif 000004
【図３】
0003201994.tif 000005
【図４】
0003201994.tif 000006
【図５】
0003201994.tif 000007
【図６】
0003201994.tif 000008
【図７】
0003201994.tif 000009